(57)【要約】【課題】出力調整部の移動によってモータの出力を調整しても、出力調整時にスプールをサミングできるようにする。【解決手段】電動リール１０は、仕掛けが先端に取り付けられた釣り糸を前方に繰り出し可能である。電動リール１０は、リール本体１２と、リール本体１２に固定されるモータ１４と、スプール１６と、回転伝達機構１８と、出力調整部２０と、移動位置検出部２２と、制御部２４とを備える。スプール１６は、リール本体１２に回転可能に設けられ、モータ１４によって回転駆動される。回転伝達機構１８は、モータ１４の回転をスプール１６に伝達する。出力調整部２０は、仕掛けの水深を表示する水深表示部４０を有し、リール本体１２１４に移動可能に設けられ、モータの出力を調整可能である。移動位置検出部２２は、出力調整部２０の移動位置を検出する。制御部２４は、移動位置に応じて、モータ１４を複数段階の出力のいずれかに制御する。【選択図】図３
2018038390.tif 000002
【特許請求の範囲】
【請求項１】
仕掛けが先端に取り付けられた釣り糸を前方に繰り出し可能な電動リールであって、
リール本体と、
前記リール本体に固定されるモータと、
前記リール本体に回転可能に設けられ、前記モータによって回転駆動されるスプールと、
前記モータの回転を前記スプールに伝達する回転伝達機構と、
前記仕掛けの水深を表示する水深表示部を有し、前記リール本体に移動可能に設けられ、前記モータの出力を調整するための出力調整部と、
前記出力調整部の移動位置を検出する移動位置検出部と、
前記移動位置に応じて、前記モータを複数の出力のいずれかに制御する制御部と、
を備える電動リール。
【請求項２】
前記出力調整部の前記移動位置を複数段階に位置決めする位置決め部をさらに備える、請求項１に記載の電動リール。
【請求項３】
前記出力調整部は、前記リール本体の上部に前後移動可能に設けられる、請求項１または２に記載の電動リール。
【請求項４】
前記出力調整部は、前記リール本体に着脱可能に設けられる、請求項１から３のいずれか１項に記載の電動リール。
【請求項５】
前記リール本体は、前記モータに電力を供給する電力線を電気的に接続する電源ソケットを有し、
前記電源ソケットと、前記出力調整部と、の間に設けられる電源コードをさらに備える、請求項４に記載の電動リール。
【請求項６】
前記電源コードは、伸縮可能な螺旋状に形成される、請求項５に記載の電動リール。
【請求項７】
前記出力調整部を前記モータの出力が停止する停止位置側に付勢する付勢部材をさらに備えた、請求項１から６のいずれか１項に記載の電動リール。
【発明の詳細な説明】
【技術分野】
【０００１】
本発明は電動リール、特に、仕掛けが先端に取り付けられた釣り糸を前方に繰り出し可能な電動リールに関する。
【背景技術】
【０００２】
電動リールには、モータの出力（たとえば、回転速度）を調整するために出力調整部が設けられる。従来の出力調整部は、仕掛けの水深を表示する水深表示部を有するカウンタケース上に、前後に移動自在に設けられたスライドスイッチを有する（たとえば、特許文献１の図１０参照）。
【先行技術文献】
【特許文献】
【０００３】
【特許文献１】特開２００５-２９５９４０号公報
【発明の概要】
【発明が解決しようとする課題】
【０００４】
従来の電動リールでは、カウンタケース上に設けられた、前後に移動するスライドスイッチによってモータの出力を調整する。従来の電動リールでは、モータの出力を調整するために、親指で前方にスライドスイッチを操作させた場合、親指がカウンタケース上に乗ってしまい、親指でスプールをサミングできない。
【０００５】
本発明の課題は、出力調整部の移動によってモータの出力を調整しても、出力調整時にスプールをサミングできるようにすることにある。
【課題を解決するための手段】
【０００６】
本発明に係る電動リールは、仕掛けが先端に取り付けられた釣り糸を前方に繰り出し可能である。電動リールは、リール本体と、リール本体に固定されるモータと、スプールと、回転伝達機構と、出力調整部と、移動位置検出部と、制御部とを備える。スプールは、リール本体に回転可能に設けられ、モータによって回転駆動される。回転伝達機構は、モータの回転をスプールに伝達する。出力調整部は、仕掛けの水深を表示する水深表示部を有し、リール本体に移動可能に設けられ、モータの出力を調整可能である。移動位置検出部は、出力調整部の移動位置を検出する。制御部は、検出された移動位置に応じて、モータを複数段階の出力のいずれかに制御する。
【０００７】
この電動リールでは、仕掛けの水深を表示する水深表示部を有する出力調整部がリール本体に移動可能に設けられる。このため、従来のカウンタケース自体が移動することになる。この出力調整部の移動位置が移動位置検出部によって検出され、制御部が検出された移動位置に応じてモータを複数段階の出力のいずれかに制御する。この電動リールは、カウンタケース自体を動かして、モータの出力を調整するように構成される。このため、出力調整部を、たとえば指の先端で移動させても、指の残りの部分を釣り糸またはスプールに接触させてスプールをサミングできる。この結果、出力調整部の移動によってモータの出力を調整しても、出力調整時にスプールをサミングできるようになる。
【０００８】
電動リールは、出力調整部の移動位置を複数段階に位置決めする位置決め部をさらに備えてもよい。この構成によれば、出力調整部から手を離しても出力調整部の移動位置を保持できる。
【０００９】
出力調整部は、リール本体の上部に前後移動可能に設けられてもよい。この構成によれば、出力調整部が前後移動するので、指で操作しやすい。
【００１０】
出力調整部は、リール本体に着脱可能に設けられてもよい。この構成によれば、出力調整部をリール本体から取り外すことによって、出力調整部の移動構造のメンテナンスを容易に行える。
【００１１】
リール本体は、モータに電力を供給する電力線を電気的に接続する電源ソケットを有し、電動リールは、電源ソケットと、出力調整部と、の間に設けられる電源コードをさらに備えてもよい。この構成によれば、電力線を着脱可能に接続でき、かつ出力調整部に電力を供給できる。
【００１２】
電源コードは、伸縮可能な螺旋状に形成されてもよい。この構成によれば、電源コードが伸縮するので、出力調整部の移動を電源コードが妨げにくい。
【００１３】
電動リールは、出力調整部をモータの出力が停止する停止位置側に付勢する付勢部材をさらに備えてもよい。この構成によれば、出力調整部から手を離せばモータの出力が停止する停止位置に出力調整部が戻るため、操作性が向上する。また、意に反して出力調整部が移動してモータが回転するといった事象が起りにくくなる。さらに、出力調整部を停止位置側に戻す操作を考慮する必要がなくなるため、出力調整部の形状の選択肢が増える。
【発明の効果】
【００１４】
本発明によれば、出力調整部の移動によってモータの出力を調整しても、調整時にスプールをサミングできるようになる。
【図面の簡単な説明】
【００１５】
【図１】本発明の一実施形態による電動リールの平面図。
【図２】図１の切断線II−IIによって切断した断面図。
【図３】図１の切断線III−IIIによって切断した断面図。
【図４】フレームおよびカウンタケースの分解斜視図。
【図５】電源コードを示す電動リールの側面図。
【図６】本発明の変形例による図３に相当する図。
【図７】位置決め部の変形例を示した模式図。
【発明を実施するための形態】
【００１６】
図１から図３において、本発明の一実施形態による電動リール１０は、仕掛けが先端に取り付けられた釣り糸を前方に繰り出し可能である。電動リール１０は、ハンドル１３が設けられるリール本体１２と、モータ１４と、スプール１６と、回転伝達機構１８（図２参照）と、リール本体１２に移動可能に設けられる出力調整部２０と、移動位置検出部２２（図３参照）と、制御部２４（図３参照）と、位置決め部２６と、電源コード２８（図５参照）と、を備える。
【００１７】
リール本体１２は、フレーム３０と、フレーム３０の両側を覆う第１側カバー３２および第２側カバー３４と、フレーム３０に設けられる釣り竿装着部３６と、電源ソケット３８と、を有する。フレーム３０は、ハンドル１３側の第１側板３０ａと、第１側板３０ａと間隔をあけて対向して配置される第２側板３０ｂと、第１側板３０ａと第２側板３０ｂとを連結する複数の連結部３０ｃと、を有する。図４に示すように、第１側板３０ａの第１内側面３０ｄ、および第２側板３０ｂの第２内側面３０ｅの前上部には、第１案内突起３０ｆおよび第２案内突起３０ｇが設けられる。第１案内突起３０ｆおよび第２案内突起３０ｇは、左右方向に対向して配置される。第１案内突起３０ｆおよび第２案内突起３０ｇは、それぞれ前後方向に延びるように設けられ、出力調整部２０を前後方向に案内する。
【００１８】
図１および図３に示すように、リール本体１２の後部には、スプール１６の糸巻き取り方向の回転を伝達および遮断するクラッチ機構（図示せず）を操作するクラッチ操作部材８が上下に移動可能に設けられる。クラッチ操作部材８は、第１側板３０ａに向けて徐々に上方に延びるクラッチ操作部８ａを有する。
【００１９】
図３に示すように、複数の連結部３０ｃは、リール本体１２の前部、下部、上部および後部に配置される。前部の連結部３０ｃは円筒状に形成され、内部にモータ１４が収容される。上部の連結部３０ｃには、出力調整部２０が前後移動可能に載置される。第１側カバー３２は、第１側板３０ａの外側を覆う。第２側カバー３４は、第２側板３０ｂの外側を覆う。釣り竿装着部３６は、下側の連結部３０ｃに一体的に形成される。電源ソケット３８は、第２側カバー３４の前下部に取り付けられる。電源ソケット３８には、電源に接続するための電源ケーブル（図示せず）が着脱可能に電気的に接続される。
【００２０】
モータ１４は、前述したように、前部の円筒状の連結部３０ｃに固定される。スプール１６は、リール本体１２に回転可能に設けられ、モータ１４によって回転駆動される。スプール１６にはスプール軸４８が一体回転可能に連結される。スプール軸４８のハンドル１３側の第１端は、第１側カバー３２に、軸受を介して回転可能に支持される。スプール軸４８の、第１端と反対側の第２端は第２側板３０ｂに、軸受を介して回転可能に支持される。回転伝達機構１８は、モータ１４の回転を減速してスプール１６に伝達し、かつハンドル１３の回転を増速してスプール１６に伝達する。
【００２１】
図３および図４に示すように、出力調整部２０は、仕掛けの水深を表示する水深表示部４０と、３つの操作ボタン４２ａ〜４２ｃを含む操作部４２と、を有する。出力調整部２０は、仕掛けの水深を表示するカウンタケースとしても機能する。水深表示部４０は、たとえば液晶ディスプレイ４０ａ（図３参照）を含む。出力調整部２０は、リール本体１２の上部に移動可能に設けられ、モータ１４の出力を調整するために設けられる。本実施形態では、出力調整部２０は、図１および図３に実線で示す出力停止用の第１位置と、二点鎖線で示す最大出力用の第２位置との間で、リール本体１２に前後方向に往復移動可能に設けられる。
【００２２】
図２、図３および図４に示すように、出力調整部２０は、リール本体１２の上部に前後スライド可能に設けられる。出力調整部２０は、リール本体１２に着脱可能に設けられる。出力調整部２０は、モータ１４の出力を制御モードに応じて調整操作するために設けられる。ここでは、制御モードが速度モードのとき、たとえば、スプール１６の回転速度を複数段階（たとえば、１０段階から３１段階）に調整する。また、制御モードが張力モードのとき、たとえば、釣り糸に作用する張力を複数段階（たとえば、１０段階から３１段階）に調整する。
【００２３】
出力調整部２０は、第１ケース部４４ａと第２ケース部４４ｂとを含むケース部材４４を有する。第１ケース部４４ａには、制御部２４、水深表示部４０、および移動位置検出部２２が、収容される。第１ケース部４４ａの両側面には、第１溝４４ｃおよび第２溝４４ｄが前後方向に沿って形成される。第１溝４４ｃおよび第２溝４４ｄは、第１側板３０ａに形成された第１案内突起３０ｆおよび第２側板３０ｂに形成された第２案内突起３０ｇに各別に係合する。第１溝４４ｃおよび第２溝４４ｄは、それぞれ後端が解放され、前端が閉じている。これによって、ケース部材４４がリール本体１２に前後移動自在に支持される。また、第１溝４４ｃおよび第２溝４４ｄの後端が解放されているので、出力調整部２０を、リール本体１２に対して着脱できる。さらに、第１溝４４ｃおよび第２溝４４ｄの前端が閉じているので、ケース部材４４を第１位置に位置決めできる。
【００２４】
第２ケース部４４ｂは、第１ケース部４４ａの収容空間を塞ぐ蓋部材として機能する。第２ケース部４４ｂの上面には、水深表示部４０に対向して配置される表示窓４４ｅが矩形に形成される。第２ケース部４４ｂの後部の左右には、出力調整部２０を前後移動させる操作を行うためのわずかに凹んだ第１操作部４４ｆと第２操作部４４ｇとが設けられる。第１操作部４４ｆは、左手Ｈの、たとえば親指で出力調整部２０を前後に操作するために設けられ、第２操作部４４ｇは、右手の、たとえば親指で出力調整部２０を前後に操作するために設けられる。このような凹んだ第１操作部４４ｆおよび第２操作部４４ｇを設けることによって、左右いずれかの手の親指の腹で、出力調整部２０を前方に移動させる出力増加操作、および出力調整部２０を後方に移動させる出力減少操作、を行いやすくなる。また、出力調整時に、出力を調整する手の親指の中間部でスプール１６をサミングしやすくなる。
【００２５】
移動位置検出部２２は、出力調整部２０の前後の移動位置を検出する。移動位置検出部２２は、たとえば、ケース部材４４に収容されたホール素子２２ａを含む。ホール素子２２ａは、上側の連結部３０ｃに設けられる磁石４６の磁束の向きおよび磁力の強さによって、出力調整部２０の前後位置を検出可能である。
【００２６】
制御部２４は、たとえばマイクロコンピュータを有し、出力調整部２０の移動位置に応じて、モータ１４の出力を制御する。制御部２４は、たとえば、出力調整部２０の移動位置に応じて、出力停止を含めた複数の出力段階のいずれかにモータ１４を制御する。ここでは、速度モードのとき、移動位置検出部２２の検出結果に応じて、たとえば、スプール１６の回転速度を複数段階（たとえば、１０段階から３１段階）のいずれかに制御する。また張力モードのとき、移動位置検出部２２の検出結果に応じて、たとえば、釣り糸に作用する張力を複数段階（たとえば、１０段階から３１段階）のいずれかに調整する。
【００２７】
位置決め部２６は、出力調整部２０の移動位置を複数段階（たとえば、１０段階から３１段階）に位置決めする。位置決め部２６は、上側の連結部３０ｃの上面に形成された装着穴３０ｈに進退自在に装着された位置決めピン５０と、位置決めピン５０の頭部５０ａが係合する複数（たとえば、１１個から３２個）の位置決め凹部５２と、を有する。頭部５０ａの先端は、位置決め凹部５２よりも小径の半球状に形成される。位置決め凹部５２は、前後方向に間隔を隔てて第２ケース部４４ｂの下面に球面状に凹んで形成される。
【００２８】
図５に示すように、電源コード２８は、電源ソケット３８と出力調整部２０との間に設けられる。電源コード２８は、図３に示すように前側の連結部３０ｃの前方を通って電源ソケット３８に接続される。電源コード２８は、図５に示すように、伸縮可能な螺旋状に形成される。電源コード２８を、伸縮可能な螺旋状に形成することによって、出力調整部２０が前後方向に移動するのを、電源コード２８が妨げにくくなる。また、電源コード２８を外さなくても、出力調整部２０をリール本体１２から外ことができる。これによって、出力調整部２０のメンテナンスおよび出力調整部２０の掃除を行いやすくなる。
【００２９】
このように構成された電動リール１０では、図１に示すように、たとえば、右ハンドルの場合、左手Ｈの親指の腹で出力調整部２０の第１操作部４４ｆを押し出し操作すると、モータ１４の出力が増加する。また、左手Ｈの親指の腹で出力調整部２０の第１操作部４４ｆを引き込み操作すると、モータ１４の出力が減少する。この出力調整部２０によって、出力調整操作する際に、親指の腹よりの根元側の部分がスプール１６および釣り糸に接触できる。このため、出力調整部２０の移動によってモータ１４の出力を調整しても、出力調整時にスプール１６をサミングできるようになる。
【００３０】
＜変形例＞
図６は、前記実施形態の変形例を示す図である。変形例では、電動リール１１０は、出力調整部１２０をモータ１４の出力が停止する停止位置側に付勢する付勢部材６０をさらに備えている。付勢部材６０は、出力調整部１２０を出力停止用の第１位置側に付勢している。
【００３１】
付勢部材６０は、例えばコイルばねである。付勢部材６０は、ホール素子２２ａ等が装着される装着板４５と上部の連結部１３０ｃとの間の空間に配置されている。連結部１３０ｃは、前記実施形態よりも後方に延び、上方に突出する突出部１３０ｉを有している。突出部１３０ｉは、付勢部材６０の基端側を支持している。
【００３２】
付勢部材６０の先端には、係合ピン６１が装着されている。係合ピン６１は、図６に拡大して示すように、軸部６１ａと、軸部６１ａよりも大径の鍔部６１ｂと、半球状に形成された頭部６１ｃと、を有している。軸部６１ａは、付勢部材６０の内周部に配置されている。鍔部６１ｂは、付勢部材６０の外径よりも大径であり、付勢部材６０によって第１位置側に付勢されている。これにより、頭部６１ｃが第１ケース部１４４ａの後部内面に球面状に凹んで形成された係合凹部１４４ｈに係合して、出力調整部１２０が第１位置側に付勢されている。
【００３３】
また、変形例では、図７に示すように、位置決め部１２６の構成が前記実施形態とは異なっている。位置決め部１２６は、出力調整部１２０の移動位置を複数段階に位置決めするためのロックレバー６５と、ロックレバー６５に係合する係合凹部１３０ｋと、を有している。
【００３４】
ロックレバー６５は、出力調整部１２０の後部に設けられた案内溝１２０ａに沿って、図７（Ａ）に示すロック解除位置と、図７（Ｂ）に示すロック位置との間で、左右方向にスライド可能である。図７（Ａ）に示す出力調整部１２０の位置は、モータ１４の出力が停止される停止位置に対応している。なお、図７では、図面を分かり易くするために第２側板１３０ｂを２点鎖線で示している。
【００３５】
ロックレバー６５は、操作部６５ａと、係合部６５ｂと、を有している。操作部６５ａは、手の親指等を当てて、ロックレバー６５を左右にスライドさせる部分である。係合部６５ｂは、操作部６５ａから第２側板１３０ｂに向かって棒状に延びている。
【００３６】
係合凹部１３０ｋは、前後方向に間隔を隔てて第２側板１３０ｂの第２内側面１３０ｅに複数設けられている。なお、係合凹部１３０ｋを第１側板３０ａの第１内側面３０ｄに設けて、係合部６５ｂを第１側板３０ａ側に向かって延ばしてもよい。係合凹部１３０ｋは、図７（Ｂ）に示すように、ロックレバー６５がロック解除位置からロック位置に操作されたとき、ロックレバー６５の係合部６５ｂに係合する。これにより、出力調整部１２０の移動位置がロックされる。
【００３７】
ロックレバー６５を用いて出力調整部１２０の移動位置を複数段階に位置決めすることにより、出力調整部１２０から手を離した場合でも、第１位置側に付勢された出力調整部１２０が第１位置側に戻ることがない。このため、出力調整部１２０の操作性が向上する。
【００３８】
また、ロックレバー６５がロック解除位置にあるとき、ロックレバー６５の操作部６５ａは、第２操作部４４ｇに近接した位置にあるため、例えば、第２操作部４４ｇを押し出し操作した手の指をそのまま左側に移動させるだけで、ロックレバー６５をロック位置に移動させることができる。
【００３９】
＜特徴＞
上記実施形態は、下記のように表現可能である。
【００４０】
（Ａ）電動リール１０は、仕掛けが先端に取り付けられた釣り糸を前方に繰り出し可能である。電動リール１０は、リール本体１２と、リール本体１２に固定されるモータ１４と、スプール１６と、回転伝達機構１８と、出力調整部２０と、移動位置検出部２２と、制御部２４とを備える。スプール１６は、リール本体１２に回転可能に設けられ、モータ１４によって回転駆動される。回転伝達機構１８は、モータ１４の回転をスプール１６に伝達する。出力調整部２０は、仕掛けの水深を表示する水深表示部４０を有し、リール本体１２に移動可能に設けられ、モータ１４の出力を調整可能である。移動位置検出部２２は、出力調整部２０の移動位置を検出する。制御部２４は、検出された移動位置に応じて、モータ１４を複数段階の出力のいずれかに制御する。
【００４１】
この電動リール１０では、仕掛けの水深を表示する水深表示部４０を有する出力調整部２０がリール本体１２に移動可能に設けられる。このため、従来のカウンタケース自体が移動することになる。この出力調整部２０の移動位置が移動位置検出部２２によって検出され、制御部２４が検出された移動位置に応じてモータ１４を複数段階の出力のいずれかに制御する。この電動リール１０は、カウンタケース自体を動かして、モータ１４の出力を調整するように構成される。このため、出力調整部２０を、たとえば指の先端で移動させても、指の残りの部分を釣り糸またはスプール１６に接触させてスプール１６をサミングできる。この結果、出力調整部２０の移動によってモータ１４の出力を調整しても、出力調整時にスプール１６をサミングできるようになる。
【００４２】
（Ｂ）電動リール１０は、出力調整部２０の移動位置を複数段階に位置決めする位置決め部２６をさらに備えてもよい。この構成によれば、出力調整部２０から手を離しても出力調整部２０の移動位置を保持できる。
【００４３】
（Ｃ）出力調整部２０は、リール本体１２の上部に前後移動可能に設けられてもよい。この構成によれば、出力調整部２０が前後移動するので、指で操作しやすい。
【００４４】
（Ｄ）出力調整部２０は、リール本体１２に着脱可能に設けられてもよい。この構成によれば、出力調整部２０をリール本体１２から取り外すことによって、出力調整部２０の移動構造のメンテナンスを容易に行える。
【００４５】
（Ｅ）リール本体１２は、モータ１４に電力を供給する電力線を電気的に接続する電源ソケット３８を有し、電動リール１０は、電源ソケット３８と、出力調整部２０と、の間に設けられる電源コード２８をさらに備えてもよい。この構成によれば、電力線を着脱可能に接続でき、かつ出力調整部２０に電力を供給できる。
【００４６】
（Ｆ）電源コード２８は、伸縮可能な螺旋状に形成されてもよい。この構成によれば、電源コード２８が伸縮するので、出力調整部２０の移動を電源コード２８が妨げにくい。
【００４７】
＜他の実施形態＞
以上、本発明の一実施形態について説明したが、本発明は上記実施形態に限定されるものではなく、発明の要旨を逸脱しない範囲で種々の変更が可能である。特に、本明細書に書かれた複数の実施形態および変形例は必要に応じて任意に組合せ可能である。
【００４８】
（ａ）上記実施形態では、カウンタケースとしても機能する出力調整部２０を前後方向にスライドさせたが、本発明はこれに限定されない。たとえば、左右方向にスライドさせてもよいし、上下方向にスライドさせてもよい。また、移動の形態は、スライドではなく揺動でもよい。
【００４９】
（ｂ）上記実施形態では、位置決め部２６によって、出力調整部２０を複数段階に位置決め部するように構成したが、本発明はこれに限定されない。たとえば、リール本体１２と出力調整部２０の間に、操作後の出力調整部２０を動きにくくするためのわずかな摩擦力等を付与できる部材（たとえば、弾性体、滑り止め部材）を配置してもよい。
【００５０】
（ｃ）上記実施形態では、出力調整部２０に第１操作部４４ｆと第２操作部４４ｇの２つの操作部を後部の左右端部に設けたが、本発明はこれに限定されない。操作部の数は一つでもよいし３以上あってもよい。また、操作部の位置は出力調整部の後部であればどこでもよい。
【００５１】
（ｄ）上記実施形態では、モータ１４がスプール１６の前方に配置される電動リール１０を開示したが、本発明はこれに限定されない。モータがスプール内部に配置される電動リールにも本発明を適用できる。
【００５２】
（ｅ）上記実施形態では出力調整部２０，１２０の移動位置を直接検出したが、出力調整部２０，１２０の移動に連動して回転する回転部材の位相を検出してもよい。また、感圧シートで位置決めピン５０の頭部５０ａの先端が押圧する位置を検出してもよい。
【符号の説明】
【００５３】
１０，１１０    電動リール
１２    リール本体
１４    モータ
１６    スプール
１８    回転伝達機構
２０，１２０    出力調整部
２２    移動位置検出部
２４    制御部
２６，１２６    位置決め部
２８    電源コード
３８    電源ソケット
６０    付勢部材
【図１】
2018038390.tif 000003
【図２】
2018038390.tif 000004
【図３】
2018038390.tif 000005
【図４】
2018038390.tif 000006
【図５】
2018038390.tif 000007
【図６】
2018038390.tif 000008
【図７】
2018038390.tif 000009